(57)【要約】【課題】ウエブサイト内へのページ追加を簡便に行え、ユーザにページの追加を自動的に通知するページ追加支援システムおよびサーバを提供する。【解決手段】ページ執筆者端末３は、ページファイル３０を作成し、ページ受付部９に送信する。ページ受付部９は責任者端末５にページファイル３０の内容確認を依頼する。責任者端末５は、ページ転送部１３にページファイル３０の公開を指示する。ページ転送部１３は、ページ情報３１を参照してページコードを付し、内容属性３６と共にページ情報３１に保存し、ページファイル３０をページ発信部２１に転送する。ページ追加確認部１９は、ページ情報３１を参照して、新着ページを確認し、案内メールを閲覧ユーザ端末２５に送信する。閲覧ユーザ端末２５がページ４０にアクセスすると、ページ発信部２１が生成したハイパーリンクタグにより、ページファイル３０が表示される。【選択図】　図１
2004118662.tif 000002
【特許請求の範囲】
【請求項１】
サーバと、第１の端末装置と、第２の端末装置とがネットワークを介して接続されたシステムであって、
前記第１の端末装置は、
ページファイルを作成するページ作成手段と、
前記ページファイルを前記サーバに送信する送信手段と、
を有し、
前記サーバは、
前記ページファイルを受信し保持するページ受付手段と、
前記第２の端末装置に前記ページファイルの新着を知らせる新着通知手段と、を有することを特徴とするページ追加支援システム。
【請求項２】
前記サーバは、
前記ページファイルを前記第２の端末装置に表示させるページ表示手段、
をさらに有し、
前記第２の端末装置は、
前記ページファイルを公開するか否か判断し、その結果を前記サーバに通知する公開判断手段、
をさらに有し、
前記サーバは、前記判断の結果を保持する判断結果保持手段、
をさらに有することを特徴とする請求項１に記載のページ追加支援システム。
【請求項３】
第１の端末装置および第２の端末装置とネットワークを介して接続されたサーバであって、
前記第１の端末装置により作成されたページファイルを受信し保持するページ受付手段と、
前記第２の端末装置に前記ページファイルの新着を知らせる新着通知手段と、を有することを特徴とするサーバ。
【請求項４】
前記ページファイルを前記第２の端末装置に表示させるページ表示手段と、
前記第２の端末装置により通知される、前記ページファイルを公開するか否かの判断結果を保持する判断結果保持手段と、
をさらに有することを特徴とする請求項３に記載のサーバ。
【請求項５】
サーバと、端末装置と、データベースシステムとがネットワークを介して接続されたシステムであって、
前記端末装置は、
前記サーバに保持されたページファイルを公開する指示を与える公開判断手段、
を有し、
前記サーバは、
公開の指示が与えられた前記ページファイルに識別番号を対応させるページコード発行手段と、
前記ページファイルから、前記ページファイルの内容に関する情報を含む内容属性を得る内容属性解析手段と、
を有し、
前記データベースシステムは、
前記識別番号と、前記内容属性とを保持するページ情報保持手段、
を有することを特徴とするページ追加支援システム。
【請求項６】
前記ページコード発行手段は、
前記データベースシステムに既に使用されている識別番号を問い合わせ、前記使用されている識別番号に連続する次の番号を、前記ページファイルの識別番号とすることを特徴とする請求項５に記載のページ追加支援システム。
【請求項７】
端末装置およびデータベースシステムとネットワークを介して接続されたサーバであって、
前記端末装置により公開の指示が与えられた前記ページファイルに識別番号を対応させるページコード発行手段と、
前記ページファイルから、前記ページファイルの内容に関する情報を含む内容属性を得る内容属性解析手段と、
を有することを特徴とするサーバ。
【請求項８】
前記ページコード発行手段は、
前記データベースシステムに既に使用されている識別番号を問い合わせ、前記使用されている識別番号に連続する次の番号を、前記ページファイルの識別番号とすることを特徴とする請求項７に記載のサーバ。
【請求項９】
第１のサーバ、第２のサーバ、端末装置とがネットワークを介して接続されたページ追加支援システムであって、
前記第１のサーバは、
ページファイルを前記端末装置に表示させるページ表示手段、
を有し、
前記端末装置は、
前記サーバに保持されたページファイルを公開する指示を与える公開判断手段、
を有し、
前記第１のサーバは、
前記端末装置から公開の指示を受けたページファイルを前記第２のサーバに転送するページ転送手段、
を有することを特徴とするページ追加支援システム。
【請求項１０】
第２のサーバおよび端末装置とネットワークを介して接続されたサーバであって、
ページファイルを前記端末装置に表示させるページ表示手段と、
前記端末装置から公開の指示を受けたページファイルを前記第２のサーバに転送するページ転送手段と、
を有することを特徴とするサーバ。
【請求項１１】
サーバと、端末装置と、データベースシステムとがネットワークを介して接続されたシステムであって、
前記データベースシステムは、
ページファイルの識別番号と、前記ページファイルの内容に関する内容属性とを含むページ情報を保持するページ情報保持手段と、
前記端末装置に関する情報を含むユーザ情報を保持するユーザ情報保持手段と、
を有し、
前記サーバは、
前記データベースシステムに保持されたページ情報により、新たに公開するページファイルが存在するか否かを確認するページ追加確認手段と、
新たに公開するページファイルが存在する場合には、前記ユーザ情報を参照し、前記ユーザ情報に登録されたユーザに前記ページファイルの新着を通知するページ追加通知手段と、
を有することを特徴とするページ追加支援システム。
【請求項１２】
前記ページ追加通知手段は、前記ページファイルの新着を通知する際に、前記ページファイルの内容属性を共に通知することを特徴とする請求項１１に記載のページ追加支援システム。
【請求項１３】
前記ページ追加確認手段は、前記データベースシステムに一定時間毎にアクセスして、前記確認を行うことを特徴とする請求項１１または請求項１２に記載のページ追加支援システム。
【請求項１４】
端末装置およびデータベースシステムとネットワークを介して接続されたサーバであって、
前記データベースシステムに保持され、ページファイルの識別番号と、前記ページファイルの内容に関する内容属性とを含むページ情報により、新たに公開するページファイルが存在するか否かを確認するページ追加確認手段と、
新たに公開するページファイルが存在する場合には、前記データベースシステムに保持され、前記端末装置に関する情報を含むユーザ情報を参照し、前記ユーザ情報に登録されたユーザに前記ページファイルの新着を通知するページ追加通知手段と、
を有することを特徴とするサーバ。
【請求項１５】
前記ページ追加通知手段は、前記ページファイルの新着を通知する際に、前記ページ情報に含まれる前記ページファイルの内容属性を共に通知することを特徴とする請求項１４に記載のサーバ。
【請求項１６】
前記ページ追加確認手段は、前記データベースシステムに一定時間毎にアクセスして、前記確認を行うことを特徴とする請求項１４または請求項１５に記載のサーバ。
【請求項１７】
サーバと、端末装置と、データベースシステムとがネットワークを介して接続されたシステムであって、
前記データベースシステムは、
ページファイルの識別番号と、前記ページファイルの内容に関する内容属性とを含むページ情報を保持するページ情報保持手段、
を有し、
前記サーバは、
前記新たに公開するページファイルを含む複数のページファイルを保持する手段と、
前記端末装置によりアクセスされたページにリンクするべき新たに公開するページファイルがあるか否かを前記ページ情報保持手段から検索する、リンク検索手段と、
前記アクセスされたページと、前記新たに公開するページファイルとのリンクを生成するリンク生成手段と、
を有することを特徴とするページ追加支援システム。
【請求項１８】
前記データベースシステムは、
前記端末装置が閲覧したページに関する情報を含むユーザ情報を保持するユーザ情報保持手段、
をさらに有し、
前記サーバは、前記端末装置によるページファイル閲覧後に、前記ユーザ情報を更新することを特徴とする請求項１７に記載のページ追加支援システム。
【請求項１９】
端末装置、およびデータベースシステムとネットワークを介して接続されたサーバであって、
複数のページファイルを保持する手段と、
前記端末装置によりアクセスされたページにリンクするべき新たに公開するページファイルがあるか否かを前記データベースシステムから検索する、リンク検索手段と、
前記アクセスされたページと、前記新たに公開するページファイルとのリンクを生成するリンク生成手段と、
を有することを特徴とするサーバ。
【請求項２０】
前記端末装置によるページファイル閲覧後に、前記ユーザ情報を更新することを特徴とする請求項１９に記載のサーバ。
【発明の詳細な説明】
【０００１】
【発明の属する技術分野】
本発明は、ウエブ技術により発信される情報の登録手続および情報の管理、情報登録の通知を効率化するページ追加支援システムおよびサーバに関する。
【０００２】
【従来の技術】
インターネットおよびイントラネットで普及しているウエブ技術を利用して、情報を発信するためには、以下の手続を踏む必要があった。まず、ページ執筆者が発信する情報を記述したページをページファイル（一般的にはＨＴＭＬファイル）に記述し、作成したページファイルを情報発信責任者に送って、発信の妥当性の判断を乞う。発信の承認が得られると、情報発信責任者または執筆者が、ウエブサイト管理者へ掲載を依頼する。ウエブサイト管理者は、ページファイルを受取り、ウエブサーバ内の適切なディレクトリにページファイルをアップロードし、アクセス権限設定を行う。続いてリンク元ファイルの内容を書き換え、今回アップロードしたページへのリンクが張られるようにハイパーリンクタグの設定をする。
【０００３】
【発明が解決しようとする課題】
ところが、上記ウエブサイト管理者が行う作業は、サーバ内のファイル構造を理解し、追加したページが他の適切なページからリンクが張られるよう、リンク元のページを更新する必要があり、ウエブサイト運用に知識のある者が行わなくてはならない。頻繁にページの追加がある場合には、その作業負荷は大きいものとなる。
【０００４】
また、公開しようとするページの内容が適切かどうかを判断するため、公開情報の内容に責任がある情報発信責任者へページ執筆者が内容確認を依頼し、承認を得てからウエブサイト管理者へ、ウエブサーバへのアップロードを依頼するという手間が生じている。さらに、目的のページを上記作業により公開したとしても、頻繁に当該ウエブサイトを訪問するユーザ以外はそのことに気づかず、執筆したページがユーザに閲覧されないケースが多い。
【０００５】
本発明は、このような問題に鑑みてなされたもので、その目的とするところは、ウエブサイト内へのページ追加を簡単に効率よく行うことができ、ユーザにページの追加を自動的に通知することが可能なページ追加支援システムを提供することである。
【０００６】
【課題を解決するための手段】
前述した目的を達成するために第１の発明は、サーバと、第１の端末装置と、第２の端末装置とがネットワークを介して接続されたシステムであって、前記第１の端末装置は、ページファイルを作成するページ作成手段と、前記ページファイルを前記サーバに送信する送信手段とを有し、前記サーバは、前記ページファイルを受信し保持するページ受付手段と、前記第２の端末装置に前記ページファイルの新着を知らせる新着通知手段とを有するページ追加支援システムである。
【０００７】
前記サーバは、前記ページファイルを前記第２の端末装置に表示させるページ表示手段をさらに有し、前記第２の端末装置は、前記ページファイルを公開するか否か判断し、その結果を前記サーバに通知する公開判断手段をさらに有し、前記サーバは、前記判断の結果を保持する判断結果保持手段をさらに有するようにしてもよい。
【０００８】
第２の発明は、第１の端末装置および第２の端末装置とネットワークを介して接続されたサーバであって、前記第１の端末装置により作成されたページファイルを受信し保持するページ受付手段と、前記第２の端末装置に前記ページファイルの新着を知らせる新着通知手段とを有するサーバである。
【０００９】
前記ページファイルを前記第２の端末装置に表示させるページ表示手段と、前記第２の端末装置により通知される、前記ページファイルを公開するか否かの判断結果を保持する判断結果保持手段とをさらに有するようにしてもよい。
【００１０】
上記構成においては、第１の端末装置は、ページ作成用、第２の端末装置は、ページの内容確認用の端末装置である。第１の端末装置で作成されたページファイルは、サーバに送信され保持されると、ページファイルの内容を確認する第２の端末装置に自動的に、ページファイルの受信と、内容確認の依頼が通知される。第２の端末装置は、通知を受取るとサーバにアクセスして当該ページファイルの内容を確認し、公開するか否かの判断をサーバに通知する。これにより、第１の端末装置が第２の端末装置にページファイルを送信したり、内容確認を依頼する手間が省略できる。
【００１１】
第３の発明は、サーバと、端末装置と、データベースシステムとがネットワークを介して接続されたシステムであって、前記端末装置は、前記サーバに保持されたページファイルを公開する指示を与える公開判断手段を有し、前記サーバは、公開の指示が与えられた前記ページファイルに識別番号を対応させるページコード発行手段と、前記ページファイルから、前記ページファイルの内容に関する情報を含む内容属性を得る内容属性解析手段とを有し、前記データベースシステムは、前記識別番号と、前記内容属性とを保持するページ情報保持手段を有するページ追加支援システムである。
【００１２】
前記ページコード発行手段は、前記データベースシステムに既に使用されている識別番号を問い合わせ、前記使用されている識別番号に連続する次の番号を、前記ページファイルの識別番号とすることができる。
【００１３】
第４の発明は、端末装置およびデータベースシステムとネットワークを介して接続されたサーバであって、前記端末装置により公開の指示が与えられた前記ページファイルに識別番号を対応させるページコード発行手段と、前記ページファイルから、前記ページファイルの内容に関する情報を含む内容属性を得る内容属性解析手段とを有するサーバである。
【００１４】
前記ページコード発行手段は、前記データベースシステムに既に使用されている識別番号を問い合わせ、前記使用されている識別番号に連続する次の番号を、前記ページファイルの識別番号とすることができる。
【００１５】
上記構成においては、端末装置から公開の指示が与えられたページファイルは、それぞれ固有の識別番号を付されて管理される。また、そのページファイルの内容属性は、識別番号と共にデータベースに保持される。内容属性とは、例えばページファイルの表題、概要等である。これにより、ページが公開されたことをページファイルの閲覧ユーザに通知する場合や、公開するための手続を行う場合に、データベースシステムの内容属性情報を参照すればよく、処理が簡単に行える。
【００１６】
第５の発明は、第１のサーバ、第２のサーバ、端末装置とがネットワークを介して接続されたページ追加支援システムであって、前記第１のサーバは、ページファイルを前記端末装置に表示させるページ表示手段を有し、前記端末装置は、前記サーバに保持されたページファイルを公開する指示を与える公開判断手段を有し、前記第１のサーバは、前記端末装置から公開の指示を受けたページファイルを前記第２のサーバに転送するページ転送手段を有するページ追加支援システムである。
【００１７】
第６の発明は、第２のサーバおよび端末装置とネットワークを介して接続されたサーバであって、ページファイルを前記端末装置に表示させるページ表示手段と、前記端末装置から公開の指示を受けたページファイルを前記第２のサーバに転送するページ転送手段とを有するサーバである。
【００１８】
上記構成によれば、端末装置に表示されて内容が確認され、公開の指示が与えられたページファイルは、自動的に第１のサーバから第２のサーバに転送される。これにより、公開すべきページファイルをウエブサーバにアップロードする手間が省略される。
【００１９】
第７の発明は、サーバと、端末装置と、データベースシステムとがネットワークを介して接続されたシステムであって、前記データベースシステムは、ページファイルの識別番号と、前記ページファイルの内容に関する内容属性とを含むページ情報を保持するページ情報保持手段と、前記端末装置に関する情報を含むユーザ情報を保持するユーザ情報保持手段とを有し、前記サーバは、前記データベースシステムに保持されたページ情報により、新たに公開するページファイルが存在するか否かを確認するページ追加確認手段と、新たに公開するページファイルが存在する場合には、前記ユーザ情報を参照し、前記ユーザ情報に登録されたユーザに前記ページファイルの新着を通知するページ追加通知手段とを有するページ追加支援システムである。
【００２０】
前記ページ追加通知手段は、前記ページファイルの新着を通知する際に、前記ページファイルの内容属性を共に通知するようにしてもよい。また、前記ページ追加確認手段は、前記データベースシステムに一定時間毎にアクセスして、前記確認を行うことが好ましい。
【００２１】
第８の発明は、端末装置およびデータベースシステムとネットワークを介して接続されたサーバであって、前記データベースシステムに保持され、ページファイルの識別番号と、前記ページファイルの内容に関する内容属性とを含むページ情報により、新たに公開するページファイルが存在するか否かを確認するページ追加確認手段と、新たに公開するページファイルが存在する場合には、前記データベースシステムに保持され、前記端末装置に関する情報を含むユーザ情報を参照し、前記ユーザ情報に登録されたユーザに前記ページファイルの新着を通知するページ追加通知手段とを有するサーバである。
【００２２】
前記ページ追加通知手段は、前記ページファイルの新着を通知する際に、前記ページファイルの内容属性を共に通知するようにしてもよい。また、前記ページ追加確認手段は、前記データベースシステムに一定時間毎にアクセスして、前記確認を行うことが好ましい。
【００２３】
上記構成においては、端末装置は、ページを閲覧する閲覧ユーザ端末装置である。サーバは、データベースシステムに保持されたページ情報により、新たに公開すべきページファイルが追加されたか否かを確認し、追加がある場合には、端末装置にページの追加があることを自動的に通知する。この際、ページの概要も共に通知することができる。これにより端末装置は、ウエブ上の検索などを行わなくても新着ページの情報を知ることができる。
【００２４】
第９の発明は、サーバと、端末装置と、データベースシステムとがネットワークを介して接続されたシステムであって、前記データベースシステムは、ページファイルの識別番号と、前記ページファイルの内容に関する内容属性とを含むページ情報を保持するページ情報保持手段を有し、前記サーバは、前記新たに公開するページファイルを含む複数のページファイルを保持する手段と、前記端末装置によりアクセスされたページにリンクするべき新たに公開するページファイルがあるか否かを前記ページ情報保持手段から検索する、リンク検索手段と、前記アクセスされたページと、前記新たに公開するページファイルとのリンクを生成するリンク生成手段とを有するページ追加支援システムである。
【００２５】
前記データベースシステムは、前記端末装置が閲覧したページに関する情報を含むユーザ情報を保持するユーザ情報保持手段をさらに有し、前記サーバは、前記端末装置によるページファイル閲覧後に、前記ユーザ情報を更新するようにしてもよい。
【００２６】
第１０の発明は、端末装置、およびデータベースシステムとネットワークを介して接続されたサーバであって、複数のページファイルを保持する手段と、前記端末装置によりアクセスされたページにリンクするべき新たに公開するページファイルがあるか否かを前記データベースシステムから検索する、リンク検索手段と、前記アクセスされたページと、前記新たに公開するページファイルとのリンクを生成するリンク生成手段とを有するサーバである。前記端末装置によるページファイル閲覧後に、前記ユーザ情報を更新するようにしてもよい。
【００２７】
上記構成においては、サーバは、端末装置からあるページにアクセスされると、データベースシステムのページ情報保持手段に、当該ページにリンクするべきページがあるか否かを確認し、ある場合には、自動的にリンクを生成し、端末装置に表示させる。これにより、ウエブサイト運営者が、ページの追加がある際に、リンク元のページを書き換えて更新するという手間が省略できる。
【００２８】
【発明の実施の形態】
以下、図面に基づいて本発明の１実施の形態を詳細に説明する。まず、図１から図３を参照しながら、ページ追加支援システム１の構成を説明する。図１は、ページ追加支援システム１を示す図、図２は、ページ情報３１を示す図、図３は、ユーザ情報５１を示す図である。
【００２９】
図１に示すように、ページ追加支援システム１は、ページ執筆者端末３、責任者端末５、プレビューサーバ７、データベースシステム１５、ウエブサーバ１７、閲覧ユーザ端末２５などを有しており、互いにネットワーク２３を介して接続されている。
【００３０】
ページ執筆者端末３は、ウエブ上に情報を発信するため、ページファイルを作成する端末装置で、例えばパーソナルコンピュータ等である。責任者端末５は、ページ執筆者端末３で作成されたページファイルの内容を表示し、ウエブ上に公開するか否かを判断する端末装置で、例えばパーソナルコンピュータ等である。
【００３１】
プレビューサーバ７は、ページ受付部９、ページ表示部１１、ページ転送部１３等を有している。ページ受付部９は、ページ執筆者端末３が作成したページファイルを受信し、保持する。また、新たにページファイルを受信すると、予め登録してある、そのページファイルの内容を確認する責任者端末５に、ページファイルの新着を通知し、内容の確認を依頼する。例えばこの通知は、ネットワーク２３を介して電子メールで送信する。また、責任者端末５がページファイルの内容を確認してウエブ上に公開するか否か判断を行うと、その結果を受取り、保持する。ページ表示部１１は、責任者端末５がネットワーク２３を介してアクセスし、ページ執筆者端末３が作成したページファイルを選択すると、選択したページファイルを責任者端末５に表示させる。
【００３２】
ページ転送部１３は、責任者端末５から公開の指示があったページファイル（以下ページファイル３０という）を開いて内容を解釈し、表題、概要、執筆者名、内容分類、登録日時等の内容属性を得て、データベースシステム１５に保持させる。また、データベースシステム１５に既に登録されている最新のページファイルのページコードを問い合わせ、それに連続する次の番号を、ページファイル３０にページコードとして与え、内容属性と共にデータベースシステム１５に保持させ、次の新着ページファイルに与えるページコードに反映されるようにする。また、ページファイル３０を、ウエブサーバ１７のページ発信部２１内のページファイル３０に与えられたページコードを持ったアドレスへ送出する。ページファイル３０の送信は、例えばＦＴＰ（Ｆｉｌｅ　Ｔｒａｎｓｆｅｒ　Ｐｒｏｔｏｃｏｌ）により行うことができる。
【００３３】
データベースシステム１５は、ページファイル３０の内容属性をページコードと共にページ情報３１として保持する。また、閲覧ユーザ端末２５のメールアドレス、閲覧履歴等を、ユーザ情報５１として保持する。
【００３４】
ここで、図２、図３を参照しながらページ情報３１、ユーザ情報５１について説明する。図２に示すように、ページ情報３１は、ページコード３２、ＵＲＬ３４、内容属性３６等を有している。ページコード３２は、上述したようにページ転送部１３により与えられた、ページファイルの識別番号である。ＵＲＬ３４は、ページ発信部２１内のページファイルが保持される領域のアドレスである。例えばＵＲＬ３４は、ページコード３２を含むように設定してもよい。内容属性３６は、ページファイルの表題、概要等を含む。この他に、執筆者名、内容分類、登録日時等を含むようにしてもよい。
【００３５】
図３に示すように、ユーザ情報５１は、ユーザＩＤ５３、メールアドレス５５、閲覧履歴５７等を有する。ユーザＩＤ５３は、閲覧ユーザ端末２５等、ウエブサーバ１７にアクセスし、ページを閲覧するユーザの識別記号である。メールアドレス５５は、上記ページを閲覧するユーザのメールアドレスである。閲覧履歴５７は、上記ユーザが閲覧したページのアドレス等を表すものであり、アクセス毎に最新の情報が書き加えられるようにすることが好ましい。この他に、閲覧ユーザ端末２５の本人認証のためのパスワード等を含むようにしてもよい。
【００３６】
ウエブサーバ１７は、ページ追加確認部１９、ページ発信部２１等を有している。ページ追加確認部１９は、データベースシステム１５に例えば一定時間毎にアクセスし、前回のアクセス以降に新たに登録されたページファイルがあるか否かを、ページ情報３１への追加があったか否かを参照して確認する。新たに登録されたページファイル３０があると、ページ情報３１より内容属性を得る。また、ユーザ情報５１を参照して、予め登録されている閲覧ユーザ端末２５等のメールアドレスを問い合わせる。そして、ページファイル３０の内容属性を含む、ページファイル３０の新着を知らせる案内メールを閲覧ユーザ端末２５に送信する。このとき、案内メールの送信先を、例えばページファイル３０の関連ページに閲覧履歴のあるユーザ等、特定のユーザに限定することもできる。
【００３７】
ページ発信部２１は、公開が許可されたページファイル３０を含む複数のページファイルを保持する。閲覧ユーザ端末２５があるページにアクセスすると、本人認証を行った後に、データベースシステム１５にアクセスし、ページ情報３１を参照して、アクセスされたページにリンクするページがあるか否かを確認する。
【００３８】
閲覧ユーザ端末２５がアクセスしたページが、ページファイル３０のリンク元のページ４０である場合について説明する。ページ発信部２１は、ページ情報３１で、ページファイル３０がリンクすべきページに該当することを確認すると、ページ４０にページファイル３０へのハイパーリンクタグを自動的に生成する。閲覧ユーザ端末２５が、生成後のページファイル３０へのハイパーリンクへアクセスすると、ページファイル３０を閲覧ユーザ端末２５に表示させる。また、データベースシステム１５のユーザ情報５１を閲覧ユーザ端末２５の閲覧履歴に基づき書き換える。
【００３９】
ネットワーク２３は、例えばインターネット、イントラネット等の通信網である。閲覧ユーザ端末２５は、ウエブサーバ１７にアクセスし所望のページを閲覧するユーザである。閲覧ユーザ端末２５は、パスワード等による認証手続を経て、ウエブサーバ１７にアクセスが可能である。
【００４０】
次に、ページ追加支援システム１の動作を、図４から図６を参照しながら説明する。図４、図５は、ページファイル３０が公開可能になるまでの手順を示すフローチャート、図６は、ページファイル３０を閲覧する手順を示すフローチャートである。
【００４１】
図４に示すように、まずページ執筆者端末３は、例えばｈｔｍｌ等の文章ファイルおよび貼り込む画像ファイル等、発信したい情報を含むページファイル３０を作成する（ステップ１０１）。作成したページファイル３０を、ネットワーク２３を介してプレビューサーバ７のページ受付部９に送信する（ステップ１０２）。ページ受付部９は、ページファイル３０を受信すると、ページファイル３０の着信と、その内容を確認し、公開するか否かの判断を行うことを依頼する電子メールを、責任者端末５に送信する（ステップ１０３）。
【００４２】
責任者端末５は、電子メールを受信すると、ネットワーク２３を介してプレビューサーバ７にアクセスし（ステップ１０４）、本人認証を行った後、ページ受付部９に保存された複数のページの中からページファイル３０を選択する（ステップ１０５）。プレビューサーバ７のページ表示部１１は、ページファイル３０を責任者端末５に表示させる（ステップ１０６）。
【００４３】
責任者端末５は、表示されたページファイル３０の内容を確認し（ステップ１０７）、ウエブ上に公開するにあたり、内容に問題があるか否かの判断を行う（ステップ１０８）。責任者端末５がページファイル３０の内容に問題があると判断すると、ページ受付部９にページファイル３０を公開しないことを通知し、ページ受付部９はページファイル３０が公開を却下されたことを記録する（ステップ１０９）。また、ページ執筆者端末３にこの結果を電子メールなどにより通知する（ステップ１１０）。
【００４４】
ステップ１０８でページファイル３０の内容に問題がないと判断されると、責任者端末５は、ページファイル３０を公開することをページ転送部１３に通知する（ステップ１１１）。ページ転送部１３は、データベースシステム１５に、現在格納されている最新のページコードを問い合わせる（ステップ１１２）。データベースシステム１５は、ページ情報３１に格納された最新のページコードを送信する（ステップ１１３）。ページ転送部１３は、送信されたページコードに１を加算し、ページファイル３０のページコード３２として発行する（ステップ１１４）。
【００４５】
図５に示すように、ページ転送部１３は、ページファイル３０を開き、表題、概要などを含む内容属性３６を得（ステップ２０１）、ページコード３２と内容属性３６とをデータベースシステム１５に送信し、ページ情報３１に保持させる（ステップ２０２）。このとき、ＵＲＬ３４がページ転送部１３で生成され、共にページ情報３１に保持される。ＵＲＬ３４は、ページコード３２を含むようにしてもよい。ページ転送部１３は、ページファイル３０をウエブサーバ１７のページ発信部２１に送信する（ステップ２０３）。ページ発信部２１は、ページファイル３０を、ページコード３２に対応するＵＲＬ３４に保存する（ステップ２０４）。以上の動作により、ページファイル３０が公開される準備が完了した。
【００４６】
次に、ページファイル３０を閲覧する手順を説明する。図６に示すように、ウエブサーバ１７のページ追加確認部１９は、例えば一定時間毎に前回の確認動作の後、公開が承認されたページの追加があるか否かをデータベースシステム１５のページ情報３１で確認する（ステップ３０１）。追加がない場合にはステップ３０１に戻る。追加がある場合には（ステップ３０２）、ページ情報３１から新着ページであるページファイル３０の内容属性３６を得ると共に、予めユーザ情報５１にメールアドレスを登録している閲覧ユーザ端末２５等のメールアドレス５５をユーザ情報５１から得て、それらをページ追加確認部１９に送信する（ステップ３０３）。
【００４７】
ページ追加確認部１９は、データベースシステム１５よりページファイル３０の内容属性３６、閲覧ユーザ端末２５のメールアドレス等を受信すると（ステップ３０４）、閲覧ユーザ端末２５を始め多数の閲覧ユーザ端末に、ページファイル３０が公開されたことを、内容属性３６を含めて電子メールに記述し送信する（ステップ３０５）。
【００４８】
閲覧ユーザ端末２５は、上記メールを受信し、ページファイル３０の公開を知ると、ウエブサーバ１７にネットワーク２３を介してアクセスし、パスワードなどを用いた本人認証を依頼する（ステップ３０６）。本人認証に成功すると、閲覧ユーザ端末２５はページ４０にアクセスする（ステップ３０７）。
【００４９】
ページ発信部２１は、データベースシステム１５のページ情報３１を参照し、ページ４０に新着ページファイル３０へのハイパーリンクを作成する（ステップ３０８）。閲覧ユーザ端末２５は、ページ４０にリンクされたページファイル３０を表示し、閲覧する（ステップ３０９）。
【００５０】
ページ発信部２１は、データベースシステム１５のユーザ情報５１における閲覧ユーザ端末２５の閲覧履歴５７にページファイル３０の閲覧履歴を書き加える指示を与え（ステップ３１０）、データベースシステム１５は閲覧履歴５７を書き換える（ステップ３１１）。
【００５１】
以上説明したように、ページ追加支援システム１によれば、ページ執筆者端末３は、ページファイル３０を作成した後に、責任者端末５に内容の確認を依頼する必要がなく、作業が簡便となる。また、従来手動で行っていたウエブサーバ１７へのページ公開作業が自動化でき、専任の作業者を必要としないという利点がある。
【００５２】
また、ページ転送部１３がページファイル３０から自動的に内容属性３６を得て、データベースシステム１５のページ情報３１に保存させるので、複数のページから条件に見合ったページを抽出するのが容易となる。また、データベースシステム１５にメールアドレスを登録した閲覧ユーザ端末には、新着ページの案内メールをページ追加確認部１９が自動的に送信するので、新着ページへのアクセスの機会拡大が図れる。
【００５３】
以上、添付図面を参照しながら本発明にかかるページ追加支援システムおよびサーバの好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００５４】
【発明の効果】
以上、詳細に説明したように本発明によれば、ウエブサイト内へのページ追加を簡単に効率よく行うことができ、ユーザにページの追加を自動的に通知することが可能なページ追加支援システムおよびサーバを提供することができる。
【図面の簡単な説明】
【図１】ページ追加支援システム１を示す図
【図２】ページ情報３１を示す図
【図３】ユーザ情報５１を示す図
【図４】ページファイル３０が公開可能になるまでの手順を示すフローチャート
【図５】ページファイル３０が公開可能になるまでの手順を示すフローチャート
【図６】ページファイル３０を閲覧する手順を示すフローチャート
【符号の説明】
１　ページ追加支援システム
３　ページ執筆者端末
５　責任者端末
７　プレビューサーバ
９　ページ受付部
１１　ページ表示部
１３　ページ転送部
１５　データベースシステム
１７　ウエブサーバ
１９　ページ追加確認部
２１　ページ発信部
２３　ネットワーク
２５　閲覧ユーザ端末
【図１】
2004118662.tif 000003
【図２】
2004118662.tif 000004
【図３】
2004118662.tif 000005
【図４】
2004118662.tif 000006
【図５】
2004118662.tif 000007
【図６】
2004118662.tif 000008